(57)【特許請求の範囲】
【請求項１】
筒状の本体内に、キャップにより開閉自在とされたレフィル容器が交換自在に収容されてなる容器において、
前記本体の上端部に形成された口部の側面に周方向に沿って突起を設け、この口部に、円環状をなし、少なくとも上端縁が前記口部より拡径されるとともに内径が前記口部より小径とされ、かつ前記口部と径合した際に前記突起と対向する側面に周方向に沿って溝部が形成されたプロテクタを、前記溝部と前記突起が嵌合するよう上方から径合させることにより、前記プロテクタを前記本体にその軸線回りに回転自在かつ抜け止めして支持させる一方、
前記プロテクタの内周面にその軸線回りにネジを螺設するとともに、前記レフィル容器の肩部外周面に前記プロテクタのネジに螺合可能なネジを螺設し、前記ネジ同士を螺合させつつ前記本体に下方から前記レフィル容器を挿入することにより、前記レフィル容器が、前記キャップを前記プロテクタの上端から上方に突出させた状態で、前記本体内に着脱自在に収容されることを特徴とする容器。
【請求項２】
前記プロテクタの下端面に前記口部と同径とされたスリット状の凹部が周方向に沿って形成され、かつ該凹部の側面に周方向に沿って前記溝部が設けられ、このプロテクタを前記口部にかぶせ、前記溝部と前記突起が嵌合するまで前記口部を前記凹部内に挿入することにより、前記プロテクタを前記本体に支持させることを特徴とする請求項１記載の容器。
【請求項３】
前記本体および前記レフィル容器の平面形状が、円、楕円、多角形またはそれらの組み合せから任意に選択されることを特徴とする請求項１または２記載の容器。
【請求項４】
前記レフィル容器外周面の前記ネジ形成部位の下方に、前記本体への前記レフィル容器の挿入に伴い前記本体の内周面に係合し、前記本体内における前記レフィル容器の軸線回りの回動を防止する回転防止部材が設けられていることを特徴とする請求項１，２または３記載の容器。
【発明の詳細な説明】
【０００１】
【産業上の利用分野】
本発明は、筒状の本体内に、キャップにより開閉自在とされたより肉薄のレフィル容器が交換自在に収容されてなる容器に関する。
【０００２】
【従来の技術】
例えば化粧料、洗髪料、あるいは洗剤等の容器として、筒状の本体内に、キャップにより開閉自在とされたレフィル容器を交換自在に収容されてなるものがある。このような容器として、例えば実開平６−１３７１３号に開示の容器がある。
【０００３】
この容器の構造を図８に示す。筒状の本体１の口部上端部２内周面にはその周に沿って複数の凹溝３が設けられ、かつ本体１の口部外周面にはネジ４が螺設されている。一方、キャップ５が着脱自在に装着されたレフィル容器６の肩部７外周面には、本体１の凹溝３に係合可能な複数の凸状リブ８が設けられている。そして、本体１に対しレフィル容器６を回動させ、凸状リブ８と凹溝３とを係合させることにより、レフィル容器６を本体１内に係止可能とされている。
【０００４】
また、符号９は、ネジ４に螺合してレフィル容器６を本体１内に係止状態で保持するための固定リングである。この容器では、本体１によりレフィル容器６が保護されるため、使い捨て使用されるレフィル容器６を肉薄とすることが可能であるという利点がある。
【０００５】
【発明が解決しようとする課題】
しかしながら、上記図８に示す容器の場合、凸状リブ８と凹溝３との係合、或はネジ４への固定リング９の螺合を可能とするためには本体１とレフィル容器６の平面形状がいずれも円形をなしていなければならず、使用可能な容器の形状が制限されるという問題があった。
【０００６】
また、本体１に対するレフィル容器６の着脱に際しては固定リング９をその都度本体１に対し着脱させる必要があるが、このことは、レフィル容器６の着脱作業を煩雑とし、かつ外した固定リング９が紛失しやすいという問題の原因となっていた。本発明は上記事情に鑑みてなされたもので、容器として使用可能な形状の範囲の拡大とレフィル容器６の着脱作業の簡略化、更には固定リング９の紛失防止をその目的としている。
【０００７】
【課題を解決するための手段】
本発明は、筒状の本体内に、キャップにより開閉自在とされたレフィル容器が交換自在に収容されてなる容器において、
前記本体の上端部に形成された口部の側面に周方向に沿って突起を設け、この口部に、円環状をなし、少なくとも上端が前記口部より拡径されるとともに内径が前記口部より小径とされ、かつ前記口部と径合した際に前記突起と対向する側面に周方向に沿って溝部が形成されたプロテクタを、前記溝部と前記突起が嵌合するよう上方から径合させることにより、前記プロテクタを前記本体にその軸線回りに回転自在かつ抜け止めして支持させる一方、
前記プロテクタの内周面にその軸線回りにネジを螺設するとともに、前記レフィル容器の肩部外周面に前記プロテクタのネジに螺合可能なネジを螺設し、前記ネジ同士を螺合させつつ前記本体に下方から前記レフィル容器を挿入することにより、前記レフィル容器が、前記キャップを前記プロテクタの上端から上方に突出させた状態で、前記本体内に着脱自在に収容可能とされていることを主たる特徴とするものである。
【０００８】
【作用】
本発明の容器にあっては、プロテクタに形成された溝部と本体の口部に形成された突起が嵌合するよう前記プロテクタを前記口部に径合させるだけで、プロテクタが前記本体に支持される。従って、前記プロテクタの内周面およびそれに螺合されるレフィル容器の肩部外周面が円筒状をなし、かつ前記本体に下方から前記レフィル容器を挿入可能であれば、前記本体および前記レフィル容器の形状は如何なる形状であってもよい。
【０００９】
また、前記本体に対する前記リフィル容器の着脱は、実質的に前記プロテクタと前記リフィル容器との螺合およびその解除によっている。しかも、前記プロテクタが前記本体にその軸線回りに回転自在かつ抜け止めして支持されているため、前記本体に対する前記レフィル容器の着脱に際して前記プロテクタを外す必要はない。
【００１０】
【実施例】
以下、図面に基づき、本発明の実施例について更に詳しく説明する。
図１および図２は、本発明の第一実施例を示すものである。符号１０は円筒状をなす本体で、本体１０の上端部に形成された口部１１の外周面には、周方向に沿って突起１２が設けられている。符号１３は、円環状をなし、かつ内径が後述するキャップ２３より大径とされたプロテクタで、その下端面には、口部１１と同径とされ、かつ上方に延びるスリット状の凹部１４が周方向に沿って形成され、更に、凹部１４の外側の側面には、周方向に沿って溝部１５が設けられている。また、プロテクタ１３の内周面には、その軸回りにネジ１６が螺設されている。
【００１１】
符号２０はレフィル容器で、このレフィル容器２０は有底円筒状をなし、かつその上端部に形成された首部２１には、中栓２６が嵌合されている。また、首部２１の外周面には、その軸回りに第一ネジ２２が螺設され、レフィル容器２０は、キャップ２３を上方からこの第一ネジ２２に螺合させることにより密閉可能とされている。
【００１２】
更に、レフィル容器２０の上端部のうち、首部２１の下方は拡径されて肩部２４を形成し、肩部２４の外周面には、プロテクタ１３のネジ１６に螺合可能な第二ネジ（ネジ）２５が螺設されている。そして、口部１１にプロテクタ１３を上方からかぶせ、溝部１５と突起１２が嵌合するまで口部１１を凹部１４内に押し込むことにより、プロテクタ１３が、本体１０に、その軸線回りに回動自在かつ抜け止めされて支持される。
【００１３】
また、これら本体１０、プロテクタ１３、およびレフィル容器２０には、例えばポリエチレン、ポリプロピレン、或はポリエチレンテレフタレート等の樹脂を、インジェクションブロー、或はダイレクトブロー等の方法で成形したものが使用される。
【００１４】
本体１０にリフィル容器２０を収容する場合には、まず、キャップ２３が装着されたレフィル容器２０を、キャップ２３がプロテクタ１３に挿通され、かつプロテクタ１３の上端から上方に突出するよう下方から本体１０内に挿入する。次いで、プロテクタ１３を回動させるか、あるいはキャップ２３を回し、キャップ２３ごとレフィル容器２０を回動させて、プロテクタ１３のネジ１６と第二ネジ２５とを螺合させる。その結果、図２に示すように、レフィル容器２０が、キャップ２３をプロテクタ１３の上端から上方に突出させた状態で、本体１０内に収容保持される。
【００１５】
レフィル容器２０の内容物を使用する場合には、プロテクタ１３の上端から突出したキャップ２３を回動して外せばよい。また、空になったレフィル容器２０を本体１０から取り外す場合には、プロテクタ１３を回動させるか、あるいはキャップ２３を閉め、キャップ２３ごとレフィル容器２０を回動させて、ネジ１６と第二ネジ２５との螺合を緩め、レフィル容器２０を本体１０の下端から引き抜けばよい。
【００１６】
すなわち、本実施例の容器では、本体１０からのレフィル容器２０の着脱は、専らネジ１６と第二ネジ２５との螺合およびその解除によっており、しかも、その際にプロテクタ１３を外す必要はない。従って、レフィル容器２０の着脱作業が容易で、かつ着脱作業に際してプロテクタ１３が紛失することもない。
【００１７】
図３および図４は、本発明の第二実施例を示すものである。この場合、口部１１、プロテクタ１３、およびレフィル容器２０のうち肩部２４より上部は、いずれも第一実施例と同様円筒状をなしている。そして、口部１１にプロテクタ１３を上方からかぶせ、溝部１５と突起１２が嵌合するまで凹部１４内に口部１１を押し込むことにより、プロテクタ１３が、本体１０にその軸線回りに回動自在かつ抜け止めされて支持される。
【００１８】
一方、レフィル容器２０のうち肩部２４の下端には多角形状の平面形状を有する回転防止部材３０が一体的に形成されている。この回転防止部材３０は、図４に示すように、本体１０内にレフィル容器２０を収容した際に本体の口部１１下方に形成された突起３１の内周面に係合し、本体１０内におけるレフィル容器２０の軸線回りの回動を防止するためのものである。
【００１９】
更に、回転防止部材３０の下方には、平面形状が紡錘形とされ、かつ柔軟性を有する袋体３２が、熱溶着等の方法で固着されている。また、本体１０のうち、口部１１より下方の平面形状も、袋体３２の形状に対応して紡錘形とされている。
【００２０】
本実施例の場合、図３に示す状態から、レフィル容器２０を、回転防止部材３０が突起３１の内周面に係合するよう下方から本体１０内に挿入し、更に、プロテクタ１３を回動させる。すると、プロテクタ１３のネジ１６と第二ネジ２５が螺合し、その結果、図４に示すように、レフィル容器２０が、キャップ２３をプロテクタ１３の上端から上方に突出させた状態で、本体１０内の所定位置に収容保持される。また、空になったレフィル容器２０を本体１０から取り外す場合には、プロテクタ１３を回動させてネジ１６と第二ネジ２５との螺合を緩め、レフィル容器２０を本体１０の下端から引き抜けばよい。
【００２１】
すなわち、本実施例においては、回転防止部材３０と突起３１との係合により、キャップ２０を持たずとも、プロテクタ１３の回動だけでレフィル容器２０の着脱作業が可能となっている。従って、口部１１、プロテクタ１３、およびレフィル容器２０の肩部２４より上部がそれぞれ円筒状をなし、かつ本体１０に下方からレフィル容器２０を挿入可能であれば、本体１０および前記レフィル容器の形状は如何なる形状であってもよい。よって、上記第一実施例の効果に加え、容器として使用可能な形状の範囲が拡大するという効果が得られる。
【００２２】
図５は、本発明の第三実施例を示すものである。この場合、突起１２は、口部１１の内周面に周方向に沿って設けられている。また、プロテクタ１３は円環状をなし、その上端は口部１１より拡径され、かつ下端部は口部１１の内径と同径とされている。更に、プロテクタ１３の外周面の、口部１１と径合した際に突起１２と対向する位置には、突起１２と嵌合する溝部１５が周方向に沿って形成されたている。そして、口部１１に、プロテクタ１３を、溝部１５と突起１２が嵌合するよう上方から径合させることにより、プロテクタ１３が、本体１０にその軸線回りに回動自在かつ抜け止めされて支持される。
【００２３】
また、プロテクタ１３の内周面には、その軸回りにネジ１６が螺設され、このネジ１６とレフィル容器の肩部２４に螺設された第二ネジ２５とを螺合させることに、レフィル容器２０が、キャップ２３をプロテクタ１３の上端から上方に突出させた状態で、本体１０内に収容保持される。その結果、本実施例においても、上記第一実施例と同様の効果が得られる。
【００２４】
なお、例えば図５ないし図７に示すように、本体１０の下端部に、収容されたレフィル容器２０を下方から覆う底蓋４０を設置してもよい。ここで、図５および図７は、レフィル容器２０の下端部を下方および周囲から覆う有底円筒状の部材を底蓋４０とした場合の例である。図５の場合、底蓋４０は、それぞれ同径とされた本体１０の下端部外周面１０ａと底蓋４０の上端部内周面４０ａとの径合により、また、図７の場合、底蓋４０は、それぞれ同径とされた本体１０の下端部内周面１０ｂと底蓋４０の上端部外周面４０ｂとの径合により、いずれも本体１０に係止される。
【００２５】
一方、図６は、本体１０の下端面に平板状をなす底蓋４０をはめ込んだた場合の例である。この場合、底蓋４０を本体１０に対し確実に係止させるため、本体１０の下端部内周面に周方向に沿って溝部４１が設けられ、かつ底蓋４０の外周面に、この溝部４１と嵌合する突起４２が周方向に沿って設けられている。また、例えば容器が大型化した場合等には、容器の持ち運びを容易とする目的で、本体１０の外周面に取手を設けることも可能である。
【００２６】
【発明の効果】
以上説明した通り、本発明によれば、容器として使用可能な形状の範囲が拡大し、かつ本体に対するレフィル容器の着脱作業が簡略化するとともに、プロテクタ（固定リング）が紛失しにくいという効果が得られる。
【図面の簡単な説明】
【図１】本発明の第一実施例を示す容器の分解斜視図である。
【図２】本発明の第一実施例を示す容器の一部断面図である。
【図３】本発明の第二実施例を示す容器の分解斜視図である。
【図４】本発明の第二実施例を示す容器の一部断面図である。
【図５】本発明の第三実施例を示す容器の一部断面図である。
【図６】本発明の第四実施例を示す容器下端部の断面図である。
【図７】本発明の第五実施例を示す容器下端部の断面図である。
【図８】従来の容器の構造の例を示す容器の断面図である。
【符号の説明】
１，１０  本体
２  本体の口部上端部
３  凹溝
４，１６  ネジ
５，２３  キャップ
６，２０  レフィル容器
７，２４  肩部
１１  口部
１２，４２  突起
１３  プロテクタ
１４  凹部
１５，４１  溝部
２１  首部
２２  第一ネジ
２５  第二ネジ（ネジ）
３０  回転防止部材
３２  袋体
【図１】
0003540840.tif 000002
【図２】
0003540840.tif 000003
【図３】
0003540840.tif 000004
【図４】
0003540840.tif 000005
【図５】
0003540840.tif 000006
【図６】
0003540840.tif 000007
【図７】
0003540840.tif 000008
【図８】
0003540840.tif 000009